(57)【要約】  高音域と低音域との区別を容易とすることができる数字楽譜を提供する。  所定の音階毎に対応してアラビア数字又は漢数字を用いて置き換えた数字楽譜１であって、高音用数字譜記載エリア２と低音用数字譜記載エリア３とが上下に分割表示されると共に、各エリア２，３が境界線４によって仕切られている。前記各エリア２、３には、数字譜と併用して五線譜記載方式で採用される音符符号が所定の音符符号に置き換えて記載されている。また前記境界線４と直交する区切線によって半拍単位で区切られ且つその各区切り毎に半拍単位で前記数字譜が表示されている。【特許請求の範囲】
【請求項１】
所定の音階毎に対応してアラビア数字又は漢数字を用いた数字譜で置き換え表示した数字楽譜であって、
高音用数字譜記載エリアと低音用数字譜記載エリアとが上下に分割表示されると共に、該各エリアが境界線によって仕切られていることを特徴とする数字楽譜。
【請求項２】
前記各エリアには、前記数字譜と併用して五線譜記載方式で採用される音符記号がそのまま又は所定の音符記号或いは英字に置き換えて記載されていることを特徴とする請求項１に記載の数字楽譜。
【請求項３】
前記各エリアで設定された音域よりも高い音域又は低い音域の音階には、各エリアに記載された数字を囲み数字とすることを特徴とする請求項１又は請求項２に記載の数字楽譜。
【請求項４】
前記各エリアで設定された音域が１オクターブであり且つ高い音域と低い音域とで同じ音階には同じ数字譜を用いることを特徴とする請求項１又は請求項２に記載の数字楽譜。
【請求項５】
前記低音用数字譜記載エリアには、楽器に対応した基準音を、予め設定した基準音記号で表示することを特徴とする請求項１乃至請求項４の何れかに記載の数字楽譜。
【請求項６】
前記各エリアは、前記境界線と直交する区切線によって半拍単位で区切られ且つその各区切り毎に半拍単位で前記数字譜が表示されていることを特徴とする請求項１乃至請求項５の何れかに記載の数字楽譜。
【請求項７】
前記各エリアは、前記境界線と直交する区切線によって一拍単位で区切られ且つその各区切り毎に半拍単位で前記数字譜が隣接表示されていることを特徴とする請求項１乃至請求項５の何れかに記載の数字楽譜。
【請求項８】
前記各エリアは、前記境界線と直交する区切線によって半拍単位又は一拍単位で区切られ且つその各区切り毎に半拍単位又は一拍単位で前記数字譜が表示されていることを特徴とする請求項１乃至請求項５の何れかに記載の数字楽譜。
【請求項９】
前記区切線は、半拍単位と一拍単位とで長さ又は太さが異なることを特徴とする請求項６乃至請求項８の何れかに記載の数字楽譜。
【請求項１０】
前記区切線は、楽曲の拍子の拍数単位で区切る小節線として他の区切線とで長さ又は太さが異なることを特徴とする請求項９に記載の数字楽譜。
【発明の詳細な説明】
【技術分野】
【０００１】
本発明は、五線譜に代わる楽譜としての数字楽譜に関するものである。
【背景技術】
【０００２】
【特許文献１】特開２００７−１７９２０号公報
【特許文献２】特開平10-８３１８２号公報  従来から、ハーモニカや篠笛等の比較的音域の狭い楽器等では、所謂五線譜に代わる楽譜として数字楽譜を用いたものが知られている。
【０００３】
この際、音域に低音域と高音域の２階音以上の音を出すことが可能な場合、例えば、図９に示すように、ハーモニカ譜の場合には、高音域の音階の数字譜にドット記号を付して低音域との区別化を図っている。【０００４】
また、図１０に示すように、篠笛譜の場合には、低音域を漢数字で示し、中音域をアラビア数字で示し、各音域の区別化を図っている。【０００５】
さらに、三味線等の三線譜の場合には、その各線（弦）に対応した上中下段（三段）に区分けした数字譜が提案されている（例えば、特許文献１参照）。【０００６】
また、上段に音階用の数字譜を表示すると共に下段に和音記号を表示し、音階が高音の場合には各音階の段階を示すようにドット記号を付して各音域の区別化を図ったものも提案されている（例えば、特許文献２参照）。
【発明の開示】
【発明が解決しようとする課題】
【０００７】
ところで、上記の如く構成された数字楽譜にあっては、特に、初心者等にあっては低音域と高音域との区別化が図り難く、しかも、ドット記号は汚れの付着等によって紛らわしくなる等の問題が生じていた。【０００８】
また、三線譜等のように、段数が多くなると、この三段を一つのユニット譜として考えた場合に、楽曲によって複数段のユニットが表示されることから、その上下ユニットとの区別がわかり難くなるといった問題が生じていた。【０００９】
本発明は、上記問題を解決するため、高音域と低音域との区別を容易とすることができる数字楽譜を提供することを目的とする。
【課題を解決するための手段】
【００１０】
その目的を達成するため、請求項１に記載の数字楽譜は、所定の音階毎に対応してアラビア数字又は漢数字を用いた数字譜で置き換え表示した数字楽譜であって、高音用数字譜記載エリアと低音用数字譜記載エリアとが上下に分割表示されると共に、該各エリアが境界線によって仕切られていることを特徴とする。【００１１】
請求項１に記載の数字楽譜にあっては、使用される数字は１種類であり、しかも、高音域と低音域とが上下に分割表示され且つ境界線によって仕切られていることから、視認性が向上され、各音域の区別化を容易に実現することができる。【００１２】
また、請求項２に記載の数字楽譜は、前記各エリアには、前記数字譜と併用して五線譜記載方式で採用される音符記号が所定の音符記号に置き換えて記載されていることにより、多様な楽譜への対応を可能とすることができる。【００１３】
また、請求項３に記載の数字楽譜は、前記各エリアは、前記境界線と直交する区切線によって半拍単位で区切られ且つその各区切り毎に半拍単位で前記数字譜が表示されていることにより、音階と拍数との関係を容易に識別することができる。【００１４】
また、請求項４に記載の数字楽譜は、前記各エリアで設定された音域が１オクターブであり且つ高い音域と低い音域とで同じ音階には同じ数字譜を用いることにより、数字譜と音階との誤認を防止し得て、識別性をさらに向上することができる。【００１５】
また、請求項５に記載の数字楽譜は、前記低音用数字譜記載エリアには、楽器に対応した基準音を、予め設定した基準音記号で表示することにより、例えば、基準音としての筒音を「◎」で表示するなど、汎用性を向上することができる。【００１６】
また、請求項６に記載の数字楽譜は、前記各エリアは、前記境界線と直交する区切線によって一拍単位で区切られ且つその各区切り毎に半拍単位で前記数字譜が隣接表示されていることにより、音階と拍数との関係を容易に識別することができる。【００１７】
さらに、請求項７に記載の数字楽譜は、前記各エリアは、前記境界線と直交する区切線によって半拍単位又は一拍単位で区切られ且つその各区切り毎に半拍単位又は一拍単位で前記数字譜が表示されていることにより、音階と拍数との関係を容易に識別することができ、しかも、半拍単位の短音と一拍単位の長音との識別性を向上することができる。【００１８】
また、請求項８に記載の数字楽譜は、前記区切線は、半拍単位と一拍単位とで長さ又は太さが異なることにより、識別性を向上することができる。【００１９】
また、請求項９に記載の数字楽譜は、前記区切線は、楽曲の拍子の拍数単位で区切る小節線として他の区切線とで長さ又は太さが異なることにより、楽曲の拍子（小節）を認識することができる。【００２０】
さらに、請求項１０に記載の数字楽譜は、前記各エリアで設定された音域よりも高い音域又は低い音域の音階には、各エリアに記載された数字を囲み数字とすることにより、音域の広い多様な楽器用の数字楽譜として使用することができ、汎用性を向上することができる。
【発明の効果】
【００２１】
本発明の数字楽譜によれば、高音域と低音域とを容易に区別することができると同時に音の長さを容易に認識することができる。
【図面の簡単な説明】
【００２２】
【図１】本発明の数字楽譜の一例を示す説明図である。
【図２】本発明の数字楽譜に用いられるアラビア数字の一例としての基本の篠笛の指押さえ位置と笛譜との関係を示す説明図である。
【図３】本発明の数字楽譜に用いられるアラビア数字の一例としての篠笛の指押さえ位置と笛譜との関係を示す説明図である。
【図４】本発明の数字楽譜の役割の説明図である。
【図５】本発明の数字楽譜に用いられる五線譜対応の笛譜の音符一覧の説明図である。
【図６】本発明の数字楽譜に用いられる五線譜対応の笛譜の休符一覧の説明図である。
【図７】本発明の数字楽譜の他例を示す説明図である。
【図８】本発明の数字楽譜のさらに他例を示す説明図である。
【図９】従来の数字楽譜としてのハーモニカ譜の説明図である。
【図１０】従来の数字楽譜としての篠笛譜の説明図である。
【符号の説明】
【００２３】
１…数字楽譜
２…高音用数字譜記載エリア
３…低音用数字譜記載エリア
４…境界線
５…区切線（半拍用）
６…区切線（一拍用）
７…小節線（区切線）
【発明を実施するための最良の形態】
【００２４】
次に、本発明の数字楽譜に係る実施の形態を図面に基づいて説明する。
図１は本発明の数字楽譜の一例を示す説明図、図２は本発明の数字楽譜に用いられるアラビア数字の一例としての基本の篠笛の指押さえ位置と笛譜との関係を示す説明図、図３は本発明の数字楽譜に用いられるアラビア数字の一例としての篠笛の指押さえ位置と笛譜との関係を示す説明図、図４は本発明の数字楽譜の役割の説明図、図５は本発明の数字楽譜に用いられる五線譜対応の笛譜の音符一覧の説明図、図６は本発明の数字楽譜に用いられる五線譜対応の笛譜の休符一覧の説明図である。【００２５】
図１に示すように、本発明の数字楽譜１は、所定の音階毎（図２参照）に対応してアラビア数字又は漢数字を用いて置き換えた数字楽譜であって、高音用数字譜記載エリア２と低音用数字譜記載エリア３とが上下に分割表示されると共に、各エリア２，３が境界線４によって仕切られている。尚、本実施の形態ではアラビア数字又は漢数字の何れか一方のみを用いている。【００２６】
従って、各音階を示すために使用される数字（アラビア数字）は１種類のみであり、しかも、高音域と低音域とが境界線４によって仕切られた状態で上下に分割表示されていることから、視認性が向上され、各音域の区別化を容易に実現することができる。【００２７】
尚、ここでの音階に対応した数字とは、ド・レ・ミ・ファ・ソ・ラ・シ・ドといった音階名や、例えば、図２に示す篠笛の場合（基本パターン）等のように、その楽器毎に設定された音程を出力する操作パターン番号等を含むものとする。【００２８】
また、高音域（甲音）・低音（呂音）域の音域は、例えば、１オクターブ単位等に限定されず、各楽器に応じて設定することが可能である。【００２９】
尚、音階以外についてはアラビア数字又は漢数字以外の記号を用いてもよい。また、アラビア数字と漢数字を混合させてもよいが、いずれかのみを用いることが好ましい。【００３０】
尚、図３に本発明の数字楽譜に用いられるアラビア数字の一例として、篠笛の場合における全パターンの指押さえ位置と笛譜との関係を例示する。この際、例えば、半音下げるといった場合、数字譜と併用して（添えて）五線譜記載方式で採用される音符記号（♭）をそのまま用いても良いし、所定の音符記号或いは英字（例えば、ｂ）に置き換えて記載することができる。尚、図２及び図３は、八笨調子を使用した場合の例である。【００３１】
また、各エリア２，３は、図４に示すように、境界線４と直交する区切線５，６によって半拍単位又は一拍単位で区切られていることにより、音階と拍子との関係を容易に識別することができる。【００３２】
この際、区切線５，６は、半拍単位と一拍単位とで長さ（又は太さ）を異ならせることにより、各拍子の識別性を向上することができる。【００３３】
さらに、各エリア２，３には、図５及び図６に示すように、五線譜記載方式で採用される音符記号（休符記号を含む）を所定の音符記号（例えば、「●」や「▲」等）に置き換え又はそのまま採用して表示することにより、多様な楽譜への対応を可能とすることができる。【００３４】
具体的には（図４参照）、「−（ハイフン）」記号はその前に記載された数字の音階半拍分だけ延ばして演奏することを意味し、区切線５，６で区切られた数に対応するハイフン記号の数によって連続して延ばす拍数を容易に認識することができる。また、各エリア２，３に跨る長い２本の平行な縦線は、繰り返すことを意味し、楽曲の１番や２番等で繰り返す順番等を規定する場合には、英数字記号（例えば、１，２…やＡ，Ｂ…）とアンダーラインとで区切ってその順番に繰り返すように指示表示することも可能である。【００３５】
尚、その他として、４分休符や休み等を記号化して設定することができるばかりでなく、図示はしないが、五線譜記号として公知のアクセント記号（その音階だけ強く）や、フェルマータ（長く伸ばす）、トリル（その音階と一つ上の音階とを交互に早く繰り返す）、前打音（装飾音）、スラー（一連の音階をなめらかに）、ブレス（息継ぎ）、ナチュラル（もとの音に戻る）等、その楽器固有の記号を含め、各種設定・表示することができる。【００３６】
また、各エリア２，３で設定された音域（例えば、１オクターブ）よりも高い音域（大甲音）又は低い音域の音階には（図４参照）、各エリア２，３に記載された数字を囲み数字とすることにより、音域の広い多様な楽器用の数字楽譜として使用することができ、汎用性を向上することができる。【００３７】
この際、この囲み数字の囲み枠（例えば、○）は、音域表示としてドット記号を用いていないことから、付点記号のドット表示と区別することができるうえ、譜面にごみや汚れ等が付着した場合の紛らわしさを解消することができる。尚、囲み枠の形状は、図示の如く○でも良いが、□等でも良く、高い音域を○、低い音域を□というように、区別しても良い。【００３８】
また、基準音としての筒音を「◎」記号で表示したり、五線譜の音符記号に変えて、独自の「●」「▲」で休符を表示するなど、簡素な独自記号を採用したことにより、幅広い楽曲への対応も可能となるばかりでなく、太いアンダーラインと組み合わせて休符記号を併記することで、より一層、識別性を向上することができる。【００３９】
このように、指番号の数字と長さ（拍数）とを瞬時に認識することができ、しかも、熟練を要することなく、知らない曲目等の演奏であっても譜面を見ながら演奏することが可能となる。【００４０】
即ち、楽器を演奏する際に必要な条件である「どの音程」で「どのくらいの長さ」であるのかを縦横の線４，５，６で瞬時に認識することができる。【００４１】
また、低音（呂音）と高音（甲音）とを数字を変えることなく同じ数字（表示）を採用し、しかも、アンダーラインやドット等の誤認識し易い記号は用いないことと相俟って、識別性をさらに向上することができる。【００４２】
さらに、上記実施の形態では、半拍単位で区切線５，６によって区切ったものを示したが、図７の上段に示すように、半拍単位の区切線５を廃止して半拍単位の数字譜を隣接して表示しても良いし、長音記号としての「−（ハイフン）」を含む場合、図７の下段に示すように、一拍単位の数字譜で表示することにより、半拍単位の短音と一拍単位の長音との識別性を向上することができる。【００４３】
また、図７及び図８に示すように、楽曲の拍子（例えば、４分の４拍子）を五線譜と同様に数字譜の先頭に表示すると共に、楽曲の拍子の拍数単位で区切る小節線７として区切線５，６とは長さ又は太さを異ならせて表示することにより、楽曲の拍子（小節）を認識することができ、より一層識別性を向上することができる。【００４４】
ところで、上記実施の形態では、篠笛譜として説明したが、ハーモニカ譜・大正琴譜・二胡譜等、各種音符としての数字楽譜に適用することができる。【００４５】
また、本発明の数字譜は、篠笛譜のように、出力可能な音域が比較的少なく（例えば、２オクターブ付近）、且つピアノやギター等のように同時に複数の音階を出力しない短音楽器に対して特に有用である。【００４６】
本発明では、例えば、ドレミファソラシドの音階を１から８までの数字で言い換えたものである。ド（１）の高さは調によって変わる（移動ド）。どの調であるかは、楽譜の冒頭に例えば、「１＝Ｃ」のようにド（１）の高さを指定することで示すことも可能である。【００４７】
五線譜にくらべた場合の長所は、原理的に「移調」が容易であること、五線紙など専用の用紙を必要としないことも挙げられる。
【産業上の利用可能性】
【００４８】
本発明によれば、高音域と低音域との区別及び音の長さの認識が容易な数字楽譜を提供することができる。
【図１】
2009095991.tif 000002
【図２】
2009095991.tif 000003
【図３】
2009095991.tif 000004
【図４】
2009095991.tif 000005
【図５】
2009095991.tif 000006
【図６】
2009095991.tif 000007
【図７】
2009095991.tif 000008
【図８】
2009095991.tif 000009
【図９】
2009095991.tif 000010
【図１０】
2009095991.tif 000011
【手続補正書】
【提出日】平成20年11月28日(2008.11.28)
【手続補正１】
【補正対象書類名】特許請求の範囲
【補正対象項目名】全文
【補正方法】変更
【補正の内容】
【特許請求の範囲】
【請求項１】
所定の音階毎に対応して独自記号を用いた記号譜で置き換え表示した譜面であって、
高音用譜記載エリアと低音用譜記載エリアとが上下に分割表示されると共に、該各エリアが境界線によって仕切られていることを特徴とする譜面。
【請求項２】
前記各エリアには、前記記号譜と併用して五線譜記載方式で採用される音符記号がそのまま又は所定の音符記号或いは英字に置き換えて記載されていることを特徴とする請求項１に記載の譜面。
【請求項３】
前記各エリアで設定された音域よりも高い音域又は低い音域の音階には、各エリアに記載された記号を囲み記号とすることを特徴とする請求項１又は請求項２に記載の譜面。
【請求項４】
前記各エリアで設定された音域が１オクターブであり且つ高い音域と低い音域とで同じ音階には同じ記号譜を用いることを特徴とする請求項１又は請求項２に記載の譜面。
【請求項５】
前記低音用譜記載エリアには、楽器に対応した基準音を、予め設定した基準音記号で表示することを特徴とする請求項１乃至請求項４の何れかに記載の譜面。
【請求項６】
前記各エリアは、前記境界線と直交する区切線によって半拍単位で区切られ且つその各区切り毎に半拍単位で前記記号譜が表示されていることを特徴とする請求項１乃至請求項５の何れかに記載の譜面。
【請求項７】
前記各エリアは、前記境界線と直交する区切線によって一拍単位で区切られ且つその各区切り毎に半拍単位で前記記号譜が隣接表示されていることを特徴とする請求項１乃至請求項５の何れかに記載の譜面。
【請求項８】
前記各エリアは、前記境界線と直交する区切線によって半拍単位又は一拍単位で区切られ且つその各区切り毎に半拍単位又は一拍単位で前記記号譜が表示されていることを特徴とする請求項１乃至請求項５の何れかに記載の譜面。
【請求項９】
前記区切線は、半拍単位と一拍単位とで長さ又は太さが異なることを特徴とする請求項６乃至請求項８の何れかに記載の譜面。
【請求項１０】
前記区切線は、楽曲の拍子の拍数単位で区切る小節線として他の区切線とで長さ又は太さが異なることを特徴とする請求項９に記載の譜面。
【請求項１１】
前記独自記号は、アラビア数字又は漢数字であることを特徴とする請求項１乃至請求項１０の何れかに記載の譜面。
【手続補正２】
【補正対象書類名】明細書
【補正対象項目名】全文
【補正方法】変更
【補正の内容】
【発明の詳細な説明】
【技術分野】
【０００１】本発明は、五線譜に代わる譜面としての数字譜面に関するものである。
【背景技術】
【０００２】
【特許文献１】特開２００７−１７９２０号公報
【特許文献２】特開平１０−８３１８２号公報従来から、ハーモニカや篠笛等の比較的音域の狭い楽器等では、所謂五線譜に代わる譜面として数字譜面を用いたものが知られている。
【０００３】この際、音域に低音域と高音域の２階音以上の音を出すことが可能な場合、例えば、図９に示すように、ハーモニカ譜の場合には、高音域の音階の数字譜にドット記号を付して低音域との区別化を図っている。【０００４】また、図１０に示すように、篠笛譜の場合には、低音域を漢数字で示し、中音域をアラビア数字で示し、各音域の区別化を図っている。【０００５】さらに、三味線等の三線譜の場合には、その各線（弦）に対応した上中下段（三段）に区分けした数字譜が提案されている（例えば、特許文献１参照）。【０００６】また、上段に音階用の数字譜を表示すると共に下段に和音記号を表示し、音階が高音の場合には各音階の段階を示すようにドット記号を付して各音域の区別化を図ったものも提案されている（例えば、特許文献２参照）。
【発明の開示】
【発明が解決しようとする課題】
【０００７】ところで、上記の如く構成された数字楽譜にあっては、特に、初心者等にあっては低音域と高音域との区別化が図り難く、しかも、ドット記号は汚れの付着等によって紛らわしくなる等の問題が生じていた。【０００８】また、三線譜等のように、段数が多くなると、この三段を一つのユニット譜として考えた場合に、楽曲によって複数段のユニットが表示されることから、その上下ユニットとの区別がわかり難くなるといった問題が生じていた。【０００９】本発明は、上記問題を解決するため、高音域と低音域との区別を容易とすることができる数字譜面を提供することを目的とする。
【課題を解決するための手段】
【００１０】その目的を達成するため、請求項１に記載の数字譜面は、所定の音階毎に対応してアラビア数字又は漢数字を用いた数字譜で置き換え表示した数字譜面であって、高音用数字譜記載エリアと低音用数字譜記載エリアとが上下に分割表示されると共に、該各エリアが境界線によって仕切られていることを特徴とする。【００１１】請求項１に記載の数字譜面にあっては、使用される数字は１種類であり、しかも、高音域と低音域とが上下に分割表示され且つ境界線によって仕切られていることから、視認性が向上され、各音域の区別化を容易に実現することができる。【００１２】また、請求項２に記載の数字譜面は、前記各エリアには、前記数字譜と併用して五線譜記載方式で採用される音符記号が所定の音符記号に置き換えて記載されていることにより、多様な楽譜への対応を可能とすることができる。【００１３】また、請求項３に記載の数字譜面は、前記各エリアは、前記境界線と直交する区切線によって半拍単位で区切られ且つその各区切り毎に半拍単位で前記数字譜が表示されていることにより、音階と拍数との関係を容易に識別することができる。【００１４】また、請求項４に記載の数字譜面は、前記各エリアで設定された音域が１オクターブであり且つ高い音域と低い音域とで同じ音階には同じ数字譜を用いることにより、数字譜と音階との誤認を防止し得て、識別性をさらに向上することができる。【００１５】また、請求項５に記載の数字譜面は、前記低音用数字譜記載エリアには、楽器に対応した基準音を、予め設定した基準音記号で表示することにより、例えば、基準音としての筒音を「◎」で表示するなど、汎用性を向上することができる。【００１６】また、請求項６に記載の数字譜面は、前記各エリアは、前記境界線と直交する区切線によって一拍単位で区切られ且つその各区切り毎に半拍単位で前記数字譜が隣接表示されていることにより、音階と拍数との関係を容易に識別することができる。【００１７】さらに、請求項７に記載の数字譜面は、前記各エリアは、前記境界線と直交する区切線によって半拍単位又は一拍単位で区切られ且つその各区切り毎に半拍単位又は一拍単位で前記数字譜が表示されていることにより、音階と拍数との関係を容易に識別することができ、しかも、半拍単位の短音と一拍単位の長音との識別性を向上することができる。【００１８】また、請求項８に記載の数字譜面は、前記区切線は、半拍単位と一拍単位とで長さ又は太さが異なることにより、識別性を向上することができる。【００１９】また、請求項９に記載の数字譜面は、前記区切線は、楽曲の拍子の拍数単位で区切る小節線として他の区切線とで長さ又は太さが異なることにより、楽曲の拍子（小節）を認識することができる。【００２０】さらに、請求項１０に記載の数字譜面は、前記各エリアで設定された音域よりも高い音域又は低い音域の音階には、各エリアに記載された数字を囲み数字とすることにより、音域の広い多様な楽器用の数字譜面として使用することができ、汎用性を向上することができる。
【発明の効果】
【００２１】本発明の数字譜面によれば、高音域と低音域とを容易に区別することができると同時に音の長さを容易に認識することができる。
【図面の簡単な説明】
【００２２】
【図１】本発明の数字譜面の一例を示す説明図である。
【図２】本発明の数字譜面に用いられるアラビア数字の一例としての基本の篠笛の指押さえ位置と笛譜との関係を示す説明図である。
【図３】本発明の数字譜面に用いられるアラビア数字の一例としての篠笛の指押さえ位置と笛譜との関係を示す説明図である。
【図４】本発明の数字譜面の役割の説明図である。
【図５】本発明の数字譜面に用いられる五線譜対応の笛譜の音符一覧の説明図である。
【図６】本発明の数字譜面に用いられる五線譜対応の笛譜の休符一覧の説明図である。
【図７】本発明の数字譜面の他例を示す説明図である。
【図８】本発明の数字譜面のさらに他例を示す説明図である。
【図９】従来の数字譜面としてのハーモニカ譜の説明図である。
【図１０】従来の数字譜面としての篠笛譜の説明図である。
【符号の説明】
【００２３】１…数字譜面
２…高音用数字譜記載エリア
３…低音用数字譜記載エリア
４…境界線
５…区切線（半拍用）
６…区切線（一拍用）
７…小節線（区切線）
【発明を実施するための最良の形態】
【００２４】次に、本発明の数字譜面に係る実施の形態を図面に基づいて説明する。
図１は本発明の数字譜面の一例を示す説明図、図２は本発明の数字譜面に用いられるアラビア数字の一例としての基本の篠笛の指押さえ位置と笛譜との関係を示す説明図、図３は本発明の数字譜面に用いられるアラビア数字の一例としての篠笛の指押さえ位置と笛譜との関係を示す説明図、図４は本発明の数字譜面の役割の説明図、図５は本発明の数字譜面に用いられる五線譜対応の笛譜の音符一覧の説明図、図６は本発明の数字譜面に用いられる五線譜対応の笛譜の休符一覧の説明図である。【００２５】図１に示すように、本発明の数字譜面１は、所定の音階毎（図２参照）に対応してアラビア数字又は漢数字を用いて置き換えた数字譜面であって、高音用数字譜記載エリア２と低音用数字譜記載エリア３とが上下に分割表示されると共に、各エリア２，３が境界線４によって仕切られている。尚、本実施の形態ではアラビア数字又は漢数字の何れか一方のみを用いている。【００２６】従って、各音階を示すために使用される数字（アラビア数字）は１種類のみであり、しかも、高音域と低音域とが境界線４によって仕切られた状態で上下に分割表示されていることから、視認性が向上され、各音域の区別化を容易に実現することができる。【００２７】尚、ここでの音階に対応した数字とは、ド・レ・ミ・ファ・ソ・ラ・シ・ドといった音階名や、例えば、図２に示す篠笛の場合（基本パターン）等のように、その楽器毎に設定された音程を出力する操作パターン番号等を含むものとする。【００２８】また、高音域（甲音）・低音（呂音）域の音域は、例えば、１オクターブ単位等に限定されず、各楽器に応じて設定することが可能である。【００２９】尚、音階以外についてはアラビア数字又は漢数字以外の記号を用いてもよい。また、アラビア数字と漢数字を混合させてもよいが、いずれかのみを用いることが好ましい。【００３０】尚、図３に本発明の数字譜面に用いられるアラビア数字の一例として、篠笛の場合における全パターンの指押さえ位置と笛譜との関係を例示する。この際、例えば、半音下げるといった場合、数字譜と併用して（添えて）五線譜記載方式で採用される音符記号（♭）をそのまま用いても良いし、所定の音符記号或いは英字（例えば、ｂ）に置き換えて記載することができる。尚、図２及び図３は、八笨調子を使用した場合の例である。【００３１】また、各エリア２，３は、図４に示すように、境界線４と直交する区切線５，６によって半拍単位又は一拍単位で区切られていることにより、音階と拍子との関係を容易に識別することができる。【００３２】この際、区切線５，６は、半拍単位と一拍単位とで長さ（又は太さ）を異ならせることにより、各拍子の識別性を向上することができる。【００３３】さらに、各エリア２，３には、図５及び図６に示すように、五線譜記載方式で採用される音符記号（休符記号を含む）を所定の音符記号（例えば、「●」や「▲」等）に置き換え又はそのまま採用して表示することにより、多様な楽譜への対応を可能とすることができる。【００３４】具体的には（図４参照）、「−（ハイフン）」記号はその前に記載された数字の音階半拍分だけ延ばして演奏することを意味し、区切線５，６で区切られた数に対応するハイフン記号の数によって連続して延ばす拍数を容易に認識することができる。また、各エリア２，３に跨る長い２本の平行な縦線は、繰り返すことを意味し、楽曲の１番や２番等で繰り返す順番等を規定する場合には、英数字記号（例えば、１，２…やＡ，Ｂ…）とアンダーラインとで区切ってその順番に繰り返すように指示表示することも可能である。【００３５】尚、その他として、４分休符や休み等を記号化して設定することができるばかりでなく、図示はしないが、五線譜記号として公知のアクセント記号（その音階だけ強く）や、フェルマータ（長く伸ばす）、トリル（その音階と一つ上の音階とを交互に早く繰り返す）、前打音（装飾音）、スラー（一連の音階をなめらかに）、ブレス（息継ぎ）、ナチュラル（もとの音に戻る）等、その楽器固有の記号を含め、各種設定・表示することができる。【００３６】また、各エリア２，３で設定された音域（例えば、１オクターブ）よりも高い音域（大甲音）又は低い音域の音階には（図４参照）、各エリア２，３に記載された数字を囲み数字とすることにより、音域の広い多様な楽器用の数字譜面として使用することができ、汎用性を向上することができる。【００３７】この際、この囲み数字の囲み枠（例えば、○）は、音域表示としてドット記号を用いていないことから、付点記号のドット表示と区別することができるうえ、譜面にごみや汚れ等が付着した場合の紛らわしさを解消することができる。尚、囲み枠の形状は、図示の如く○でも良いが、□等でも良く、高い音域を○、低い音域を□というように、区別しても良い。【００３８】また、基準音としての筒音を「◎」記号で表示したり、五線譜の音符記号に変えて、独自の「●」「▲」で休符を表示するなど、簡素な独自記号を採用したことにより、幅広い楽曲への対応も可能となるばかりでなく、太いアンダーラインと組み合わせて休符記号を併記することで、より一層、識別性を向上することができる。【００３９】このように、指番号の数字と長さ（拍数）とを瞬時に認識することができ、しかも、熟練を要することなく、知らない曲目等の演奏であっても譜面を見ながら演奏することが可能となる。【００４０】即ち、楽器を演奏する際に必要な条件である「どの音程」で「どのくらいの長さ」であるのかを縦横の線４，５，６で瞬時に認識することができる。【００４１】また、低音（呂音）と高音（甲音）とを数字を変えることなく同じ数字（表示）を採用し、しかも、アンダーラインやドット等の誤認識し易い記号は用いないことと相俟って、識別性をさらに向上することができる。【００４２】さらに、上記実施の形態では、半拍単位で区切線５，６によって区切ったものを示したが、図７の上段に示すように、半拍単位の区切線５を廃止して半拍単位の数字譜を隣接して表示しても良いし、長音記号としての「−（ハイフン）」を含む場合、図７の下段に示すように、一拍単位の数字譜で表示することにより、半拍単位の短音と一拍単位の長音との識別性を向上することができる。【００４３】また、図７及び図８に示すように、楽曲の拍子（例えば、４分の４拍子）を五線譜と同様に数字譜の先頭に表示すると共に、楽曲の拍子の拍数単位で区切る小節線７として区切線５，６とは長さ又は太さを異ならせて表示することにより、楽曲の拍子（小節）を認識することができ、より一層識別性を向上することができる。【００４４】ところで、上記実施の形態では、篠笛譜として説明したが、ハーモニカ譜・大正琴譜・二胡譜等、各種音符としての数字譜面に適用することができる。【００４５】また、本発明の数字譜は、篠笛譜のように、出力可能な音域が比較的少なく（例えば、２オクターブ付近）、且つピアノやギター等のように同時に複数の音階を出力しない短音楽器に対して特に有用である。【００４６】本発明では、例えば、ドレミファソラシドの音階を１から８までの数字で言い換えたものである。ド（１）の高さは調によって変わる（移動ド）。どの調であるかは、楽譜の冒頭に例えば、「１＝Ｃ」のようにド（１）の高さを指定することで示すことも可能である。【００４７】五線譜にくらべた場合の長所は、原理的に「移調」が容易であること、五線紙など専用の用紙を必要としないことも挙げられる。
【産業上の利用可能性】
【００４８】本発明によれば、高音域と低音域との区別及び音の長さの認識が容易な数字譜面を提供することができる。